(57)【特許請求の範囲】
【請求項１】
上枠及び下枠に多角形形状に配置された複数の梁を一対の枠とし、
前記一対の枠の隅にそれぞれ配置されて前記一対の枠を互いに連結するための複数の支柱と、
前記一対の枠の隅にそれぞれ配置されて前記一対の枠の中の１つの枠に接触する接触面と前記複数の支柱の中の１つの支柱に接触する接触面とを有する複数のコーナー部材と、を備え、
前記一対の枠の前記上枠又は前記下枠と前記複数の支柱とが相対向する対向面及び前記複数のコーナー部材の前記接触面にそれぞれ締結部材挿入用貫通孔を形成し、前記締結部材挿入用貫通孔内に挿入された締結部材の締結により前記上枠又は前記下枠と前記複数の支柱とが前記複数のコーナー部材を介して互いに接合され、
前記複数のコーナー部材と前記上枠又は前記下枠と前記複数の支柱とが互いに溶接により接合され、
前記コーナー部材は前記締結部材と前記溶接との併用にて接合されてなり、
前記締結部材はリベットであり、
組み立てにおいて、前記リベットの締結により前記上枠又は前記下枠と前記複数の支柱とを前記複数のコーナー部材を介して互いに接合し、その後、前記複数のコーナー部材と前記上枠又は前記下枠と前記複数の支柱とを互いに溶接により接合することを特徴とする変換器用筐体。
【請求項２】
上枠及び下枠に多角形形状に配置された複数の梁を一対の枠とし、
前記一対の枠の隅にそれぞれ配置されて前記一対の枠を互いに連結するための複数の支柱と、
前記一対の枠の隅にそれぞれ配置されて前記一対の枠の中の１つの枠に接触する接触面と前記複数の支柱の中の１つの支柱に接触する接触面とを有する複数のコーナー部材と、を備え、
前記一対の枠と前記複数の支柱とが相対向する対向面及び前記複数のコーナー部材の前記接触面にそれぞれ締結部材挿入用貫通孔を形成し、前記締結部材挿入用貫通孔内に挿入された締結部材の締結により前記一対の枠と前記複数の支柱とが前記複数のコーナー部材を介して互いに接合され、
前記複数のコーナー部材と前記一対の枠と前記複数の支柱とが互いに溶接により接合され、
前記コーナー部材は前記締結部材と前記溶接との併用にて接合されてなり、
前記締結部材はリベットであり、
組み立てにおいて、前記リベットの締結により前記一対の枠と前記複数の支柱とを前記複数のコーナー部材を介して互いに接合し、その後、前記複数のコーナー部材と前記一対の枠と前記複数の支柱とを互いに溶接により接合することを特徴とする変換器用筐体。
【請求項３】
上枠及び下枠に四角形形状に配置された複数の梁を一対の枠とし、四角形形状に形成された一対の枠と、
前記一対の枠の四隅にそれぞれ配置されて前記一対の枠を互いに連結するための４本の支柱と、
前記一対の枠の四隅にそれぞれ配置されて前記一対の枠の中の１つの枠に接触する接触面と前記４本の支柱の中の１つの支柱に接触する接触面とを有する複数のコーナー部材と、を備え、
前記一対の枠の四隅と前記４本の支柱の軸方向端部とが相対向する対向面及び前記複数のコーナー部材の前記接触面にそれぞれ締結部材挿入用貫通孔を形成し、前記締結部材挿入用貫通孔内に挿入された締結部材の締結により前記一対の枠と前記４本の支柱とが前記複数のコーナー部材を介して互いに接合され、
前記複数のコーナー部材と前記一対の枠と前記４本の支柱とが互いに溶接により接合され、
前記コーナー部材は前記締結部材と前記溶接との併用にて接合されてなり、
前記締結部材はリベットであり、
組み立てにおいて、前記リベットの締結により前記一対の枠と前記４本の支柱とを前記複数のコーナー部材を介して互いに接合し、その後、前記複数のコーナー部材と前記一対の枠と前記４本の支柱とを互いに溶接により接合することを特徴とする変換器用筐体。
【請求項４】
多角形形状に形成された一対の枠と、
前記一対の枠の隅にそれぞれ配置されて前記一対の枠を互いに連結するための複数の支柱と、
前記一対の枠の隅にそれぞれ配置されて前記一対の枠の中の１つの枠に接触する接触面と前記複数の支柱の中の１つの支柱に接触する接触面とを有する複数のコーナー部材と、を備え、
前記一対の枠と前記複数の支柱とが相対向する対向面及び前記複数のコーナー部材の前記接触面にそれぞれ締結部材挿入用貫通孔を形成し、前記締結部材挿入用貫通孔内に挿入された締結部材の締結により前記一対の枠と前記複数の支柱とが前記複数のコーナー部材を介して互いに接合され、
前記複数のコーナー部材と前記一対の枠と前記複数の支柱とが互いに溶接により接合され、
前記コーナー部材は前記締結部材と前記溶接との併用にて接合されてなり、
前記締結部材はリベットであり、
組み立てにおいて、前記リベットの締結により前記一対の枠と前記複数の支柱とを前記複数のコーナー部材を介して互いに接合し、その後、前記複数のコーナー部材と前記一対の枠と前記複数の支柱とを互いに溶接により接合することを特徴とする変換器用筐体。
【請求項５】
多角形形状に形成された一対の枠と、
前記一対の枠の隅にそれぞれ配置されて前記一対の枠を互いに連結するための複数の支柱と、
前記一対の枠の隅にそれぞれ配置されて前記一対の枠の中の１つの枠に接触する接触面と前記複数の支柱の中の１つの支柱に接触する接触面とを有する複数のコーナー部材と、を備え、
前記一対の枠の隅と前記複数の支柱の軸方向端部とが相対向する対向面及び前記複数のコーナー部材の前記接触面にそれぞれ締結部材挿入用貫通孔を形成し、前記締結部材挿入用貫通孔内に挿入された締結部材の締結により前記一対の枠と前記複数の支柱とが前記複数のコーナー部材を介して互いに接合され、
前記複数のコーナー部材と前記一対の枠と前記複数の支柱とが互いに溶接により接合され、
前記コーナー部材は前記締結部材と前記溶接との併用にて接合されてなり、
前記締結部材はリベットであり、
組み立てにおいて、前記リベットの締結により前記一対の枠と前記複数の支柱とを前記複数のコーナー部材を介して互いに接合し、その後、前記複数のコーナー部材と前記一対の枠と前記複数の支柱とを互いに溶接により接合することを特徴とする変換器用筐体。
【請求項６】
四角形形状に形成された一対の枠と、
前記一対の枠の四隅にそれぞれ配置されて前記一対の枠を互いに連結するための４本の支柱と、
前記一対の枠の四隅にそれぞれ配置されて前記一対の枠の中の１つの枠に接触する接触面と前記４本の支柱の中の１つの支柱に接触する接触面とを有する複数のコーナー部材と、を備え、
前記一対の枠の四隅と前記４本の支柱の軸方向端部とが相対向する対向面及び前記複数のコーナー部材の前記接触面にそれぞれ締結部材挿入用貫通孔を形成し、前記締結部材挿入用貫通孔内に挿入された締結部材の締結により前記一対の枠と前記４本との支柱とが前記複数のコーナー部材を介して互いに接合され、
前記複数のコーナー部材と前記一対の枠と前記４本の支柱とが互いに溶接により接合され、
前記コーナー部材は前記締結部材と前記溶接との併用にて接合されてなり、
前記締結部材はリベットであり、
組み立てにおいて、前記リベットの締結により前記一対の枠と前記４本の支柱とを前記複数のコーナー部材を介して互いに接合し、その後、前記複数のコーナー部材と前記一対の枠と前記４本の支柱とを互いに溶接により接合することを特徴とする変換器用筐体。
【請求項７】
請求項１〜６のいずれか１項に記載の変換器用筐体において、
前記コーナー部材は、互いに直交した第１平面、第２平面及び第３平面を有し、前記第１平面及び前記第２平面は前記枠及び前記支柱と接合され、前記第１平面と前記第２平面との間に切欠きが形成されていることを特徴とする変換器用筐体。
【発明の詳細な説明】
【技術分野】
【０００１】
本発明は、変換器用筐体に係り、特に、制御装置などの電子機器を装着するのに好適な大容量変換器用筐体に関する。
【背景技術】
【０００２】
制御装置などの電子機器を収納する筐体としては、例えば、四角形形状に形成された一対の枠と、各枠の隅に配置されて各枠を互いに連結するための複数の支柱と、各枠の隅に配置されて各枠と各支柱とを連結するためのコーナー部材を備えたものが知られている。この種の筐体に関する技術としては、例えば特許第３６００９４８号公報（特許文献１）や特開平７−６７２１９号公報（特許文献２）に記載される技術などがある。
【０００３】
前記特許文献１には、筐体を組み付ける場合に、表面に塗装、鍍金などの絶縁体層が塗布された各枠と各支柱及び各コーナー部材をそれぞれ互いに接合するに際して、締結部材挿入用貫通孔内に挿入されたリベットの締結により、突起と嵌合穴とをそれぞれ嵌合させて、突起と嵌合穴との嵌合に伴う変形によって枠と支柱とを互いに接合させたり、枠とコーナー部材、支柱とコーナー部材とを互いに接合させるようにしている。このため、突起と嵌合穴との嵌合に伴う変形によって塗装、鍍金による絶縁体層が各部材から剥離し、各部材間の電気的導通を得る方法が採用されている。このように、リベット締結によるコーナー部材を用いることで、部材間の電気的導通を得ると共に、部材間の位置決め作業を容易に行うことができ、部材間の位置決めにかかる作業時間の低下による生産コストの低減を図る技術が記載されている。
【０００４】
また、前記特許文献２には、筐体の枠を構成する枠部材の組み合わせ部分において、筐体の枠を補強する補強部材を当接させ、枠部材と補強部材とを固定部材で固定して、筐体の骨組みを構成して筐体を製造する際に、補強部材における固定部材の貫通穴を、枠部材、補強部材及び固定部材を一体的に溶接する程度の大きさに形成し、これらを一体的に溶接して筐体を製造している。その際に、枠部材と補強部材とをボルトで固定して、筐体の骨組みを組み立てて形状を整え、枠部材、補強部材及びボルトを溶接して、ボルト組立式の弱点であるキシミ、ゆるみを皆無にする技術が記載されている。
【先行技術文献】
【特許文献】
【０００５】
【特許文献１】特許第３６００９４８号公報
【特許文献２】特開平７−６７２１９号公報
【発明の概要】
【発明が解決しようとする課題】
【０００６】
しかしながら、前述した特許文献１や特許文献２に記載された筐体に関する技術を検討した結果、以下のようなことが明らかとなった。
【０００７】
前記特許文献１の技術では、各枠と各支柱及びコーナー部材との連結に用いる締結部材にリベットを採用しているため、重量物を実装する大容量変換器用筐体では強度・耐衝撃が不足となり、筐体組み立てにリベット締結によるコーナー部材を用いることはできない。さらに、大容量変換器用筐体では、リベット締結によるコーナー部材を用いることができないことから、筐体組み立て時の位置合わせ作業が困難であり、作業時間の増加によって生産コストが高くなる。
【０００８】
また、前記特許文献２の技術では、枠部材と補強部材とをボルトで固定して、筐体の骨組みを組み立てて形状を整えるボルト組立式を採用しており、筐体組み立て時の位置合わせ作業の面で利点があるリベット締結によるコーナー部材を用いるものではない。
【０００９】
そこで、本発明は上述した課題に鑑みてなされたものであり、その代表的な目的は、各部材間の位置決めを容易に行うことができるとともに、組み立て時間の短縮を図り、充分な強度・耐衝撃を得ることができる大容量変換器用筐体を提供することにある。
【００１０】
本発明の前記ならびにその他の目的と新規な特徴は、本明細書の記述および添付図面から明らかになるであろう。
【課題を解決するための手段】
【００１１】
本願において開示される発明のうち、代表的なものの概要を簡単に説明すれば、次のとおりである。
【００１２】
すなわち、代表的な大容量変換器用筐体は、上枠及び下枠の一対の枠と、前記一対の枠の隅にそれぞれ配置されて前記一対の枠を互いに連結するための複数の支柱と、前記一対の枠の隅にそれぞれ配置されて前記一対の枠の中の１つの枠に接触する接触面と前記複数の支柱の中の１つの支柱に接触する接触面とを有する複数のコーナー部材と、を備える。
【００１３】
そして、前記一対の枠の前記上枠又は前記下枠あるいは前記一対の枠の隅と前記複数の支柱の軸方向端部とが相対向する対向面及び前記複数のコーナー部材の前記接触面にそれぞれ締結部材挿入用貫通孔を形成し、前記締結部材挿入用貫通孔内に挿入された締結部材の締結により前記一対の枠の前記上枠又は前記下枠あるいは前記一対の枠と前記複数の支柱とが前記複数のコーナー部材を介して互いに接合される。さらに、前記複数のコーナー部材と前記一対の枠の前記上枠又は前記下枠あるいは前記一対の枠と前記複数の支柱とが互いに溶接により接合される。このように、前記コーナー部材は前記締結部材と前記溶接との併用にて接合されてなり、さらに、前記締結部材はリベットであることを特徴とする。
【発明の効果】
【００１４】
本願において開示される発明のうち、代表的なものによって得られる効果を簡単に説明すれば以下のとおりである。
【００１５】
すなわち、代表的な効果は、コーナー部材をリベット締結と溶接との併用にて接合することにより、各部材間の位置決めを容易に行うことができるとともに、組み立て時間の短縮を図ることができ、重量物を実装する大容量変換器用筐体に充分な強度・耐衝撃を得ることができる。
【図面の簡単な説明】
【００１６】
【図１】本発明の一実施の形態である大容量変換器用筐体の全体構成の一例を示す斜視図である。
【図２】図１に示す大容量変換器用筐体の連結部を詳細に示す分解斜視図である。
【図３】図１に示す大容量変換器用筐体の連結部のリベット締結併用溶接接合部を詳細に示す内面斜視図である。
【図４】図１に示す大容量変換器用筐体に装着された大容量変換器の回路構成の一例を示す概略回路図である。
【図５】図４に示す大容量変換器の筐体の全体構成の一例を示す概略構成図である。
【発明を実施するための形態】
【００１７】
以下の実施の形態においては、便宜上その必要があるときは、複数の実施の形態またはセクションに分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でも良い。
【００１８】
さらに、以下の実施の形態において、その構成要素（要素ステップ等も含む）は、特に明示した場合および原理的に明らかに必須であると考えられる場合等を除き、必ずしも必須のものではないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数値および範囲についても同様である。
【００１９】
［本発明の実施の形態の概要］
本発明の実施の形態である大容量変換器用筐体（一例として、（）内に対応する構成要素、符号などを付記）は、上枠（梁２５〜２８）及び下枠（梁２１〜２４）の一対の枠と、前記一対の枠の隅にそれぞれ配置されて前記一対の枠を互いに連結するための複数の支柱（支柱３１〜３４）と、前記一対の枠の隅にそれぞれ配置されて前記一対の枠の中の１つの枠に接触する接触面と前記複数の支柱の中の１つの支柱に接触する接触面とを有する複数のコーナー部材（コーナー部材４１〜４８）と、を備える。
【００２０】
そして、前記一対の枠の前記上枠又は前記下枠あるいは前記一対の枠の隅と前記複数の支柱の軸方向端部とが相対向する対向面及び前記複数のコーナー部材の前記接触面にそれぞれ締結部材挿入用貫通孔（締結部材挿入用貫通孔１〜１２）を形成し、前記締結部材挿入用貫通孔内に挿入された締結部材の締結により前記一対の枠の前記上枠又は前記下枠あるいは前記一対の枠と前記複数の支柱とが前記複数のコーナー部材を介して互いに接合される（図２）。さらに、前記複数のコーナー部材と前記一対の枠の前記上枠又は前記下枠あるいは前記一対の枠と前記複数の支柱とが互いに溶接により接合される（図３）。このように、前記コーナー部材は前記締結部材と前記溶接との併用にて接合されてなり、さらに、前記締結部材はリベット（リベット６０〜６５）であることを特徴とする。
【００２１】
以上の特徴により、締結部材としてリベットを用いており、コーナー部材とリベットによる筐体部材の締結を行った後、コーナー部材と複数の枠と複数の支柱とを溶接することで、リベット締結による各部材間の位置決めを容易に得るとともに、溶接時の部材間の位置決めによる作業時間は発生せず、生産コストの増加を抑えることが可能となる。さらに、コーナー部材をリベット締結と溶接との併用にて接合することにより、重量物を実装する大容量変換器用筐体に充分な強度・耐衝撃を得ることができる。
【００２２】
上述した本発明の実施の形態の概要に基づいた本発明の一実施の形態を、以下において図面に基づいて詳細に説明する。なお、実施の形態を説明するための全図において、同一の部材には原則として同一の符号を付し、その繰り返しの説明は省略する。
【００２３】
また、以下においては、コーナー部材併用接合の対象を上枠及び下枠の両方の枠とし、上枠及び下枠を四角形形状に配置された複数の梁を枠とし、かつ、コーナー部材を支柱の軸方向端部に接合する例について説明するが、コーナー部材併用接合の対象を上枠又は下枠の一方の枠とする例、上枠及び／又は下枠を多角形形状（例えば五角形以上の形状等）に配置された複数の梁を枠とする例、コーナー部材を支柱の軸方向端部に接合する場合に限らない例、上枠及び下枠を多角形形状又は四角形形状に形成された一対の枠とする例などにも同様に適用可能である。
【００２４】
［本発明の一実施の形態］
本発明の一実施の形態である大容量変換器用筐体、この大容量変換器用筐体に装着された大容量変換器について、図１〜図５を用いて説明する。
【００２５】
＜大容量変換器用筐体＞
図１を用いて、本実施の形態である大容量変換器用筐体について説明する。図１は、この大容量変換器用筐体の全体構成の一例を示す斜視図である。
【００２６】
本実施の形態の大容量変換器用筐体は、下枠に四角形形状に配置された４本の梁２１，２２，２３，２４と、上枠に四角形形状に配置された４本の梁２５，２６，２７，２８と、下枠及び上枠の四隅にそれぞれ配置されて下枠と上枠を互いに連結するための４本の支柱３１，３２，３３，３４と、下枠の四隅にそれぞれ配置されて下枠の中の１つの枠に接触する接触面と４本の支柱３１，３２，３３，３４の中の１つの支柱に接触する接触面とを有する４個のコーナー部材４１，４２，４３，４４と、上枠の四隅にそれぞれ配置されて上枠の中の１つの枠に接触する接触面と４本の支柱３１，３２，３３，３４の中の１つの支柱に接触する接触面とを有する４個のコーナー部材４５，４６，４７，４８とを備えて構成される。
【００２７】
このように、筐体の枠は下枠及び上枠の一対の枠からなり、下枠は四角形形状に連結された梁２１，２２，２３，２４にて形成され、上枠は四角形形状に連結された梁２５，２６，２７，２８にて形成されている。さらに、上枠と下枠とは４本の支柱３１，３２，３３，３４にて互いに連結されている。そして、下枠の四隅には４個のコーナー部材４１，４２，４３，４４がそれぞれ配置され、上枠の四隅には４個のコーナー部材４５，４６，４７，４８がそれぞれ配置されている。
【００２８】
続いて、  図２を用いて、図１に示した大容量変換器用筐体の連結部について説明する。図２は、この大容量変換器用筐体の連結部を詳細に示す分解斜視図である。図２においては、図１に示したコーナー部材４１による連結部（下枠の梁２１及び梁２２と支柱３１とコーナー部材４１との連結部）を示している。他のコーナー部材４２，４３，４４，４５，４６，４７，４８による連結部も同様である。
【００２９】
図２に示すように、コーナー部材４１は、互いに直交した平面５２，５３，５４を備えて構成されている。平面５２は支柱３１の平面５０及び梁２１の平面５５との接触面及び対向面を形成し、平面５３は支柱３１の平面５１及び梁２２の平面５６との接触面及び対向面を形成する。また、平面５２と平面５３との間には切欠き５９が形成されている。
【００３０】
そして、平面５２には、梁２１の締結部材挿入用貫通孔９に対応して締結部材挿入用貫通孔１１が形成されている。さらに、平面５２には、支柱３１の締結部材挿入用貫通孔１，２に対応して締結部材挿入用貫通孔５，６が形成されている。一方、平面５３には、梁２２の締結部材挿入用貫通孔１０に対応して締結部材挿入用貫通孔１２が形成されている。さらに、平面５３には、支柱３１の締結部材挿入用貫通孔３，４に対応して締結部材挿入用貫通孔７，８が形成されている。
【００３１】
支柱３１は、互いに直交する平面５０，５１を有するＬ型枠体として構成されている。そして、平面５０には、支柱３１の軸方向端部にコーナー部材４１の締結部材挿入用貫通孔５，６に対応して締結部材挿入用貫通孔１，２が形成されている。一方、平面５１には、支柱３１の軸方向端部にコーナー部材４１の締結部材挿入用貫通孔７，８に対応して締結部材挿入用貫通孔３，４が形成されている。
【００３２】
梁２１は、互いに直交する平面５５，５７を有するＬ字枠体として構成されている。そして、平面５５には、コーナー部材４１の締結部材挿入用貫通孔１１に対応して締結部材挿入用貫通孔９が形成されている。梁２２は、互いに直交する平面５６，５８を有するＬ字枠体として構成されている。そして、平面５６には、コーナー部材４１の締結部材挿入用貫通孔１２に対応して締結部材挿入用貫通孔１０が形成されている。
【００３３】
コーナー部材４１と支柱３１と梁２１及び梁２２とは、リベット６０，６１，６２，６３がそれぞれ支柱３１の締結部材挿入用貫通孔１，２，３，４からコーナー部材４１の締結部材挿入用貫通孔５，６，７，８に挿入されて締結され、リベット６４，６５がそれぞれ梁２１，２２の締結部材挿入用貫通孔９，１０からコーナー部材４１の締結部材挿入用貫通孔１１，１２に挿入されて締結される。
【００３４】
他の下枠のコーナー部材４２，４３，４４による連結部も、コーナー部材４１と同様に構成される。それぞれ、コーナー部材４２による連結部は下枠の梁２２及び梁２３と支柱３２とコーナー部材４２との構成、コーナー部材４３による連結部は下枠の梁２３及び梁２４と支柱３３とコーナー部材４３との構成、コーナー部材４４による連結部は下枠の梁２４及び梁２１と支柱３４とコーナー部材４４との構成となる。
【００３５】
同様に、上枠のコーナー部材４５，４６，４７，４８による連結部も、それぞれ、コーナー部材４５による連結部は上枠の梁２５及び梁２６と支柱３１とコーナー部材４５との構成、コーナー部材４６による連結部は上枠の梁２６及び梁２７と支柱３２とコーナー部材４６との構成、コーナー部材４７による連結部は上枠の梁２７及び梁２８と支柱３３とコーナー部材４７との構成、コーナー部材４８による連結部は上枠の梁２８及び梁２５と支柱３４とコーナー部材４８との構成となる。
【００３６】
以上のように構成された上枠と下枠は、それぞれ同一の四角形形状にて形成されて、上枠と下枠の四隅において、各梁と各支柱と各コーナー部材がリベットの挿入による締結にて接合された構成となる。
【００３７】
続いて、前述した図１および図２を参照し、図３を用いて、上記構成による大容量変換器用筐体の組み立て方法について説明する。図３は、この大容量変換器用筐体の連結部のリベット締結併用溶接接合部を詳細に示す内面斜視図である。
【００３８】
上記構成による大容量変換器用筐体を組み立てるに際しては、４本の梁２１〜２４から構成される上枠、４本の梁２５〜２８から構成される下枠、４本の支柱３１〜３４、８個のコーナー部材４１〜４８は、それぞれ、表面に、塗装、鍍金等の塗装膜を塗布される前状態で搬入される。
【００３９】
まず、組み付け装置により、上枠を下枠に対して水平方向に沿って相対向させて配置させる。そして、上枠と下枠の四隅のうちの１つの隅、例えば支柱３１を配置する隅にそれぞれコーナー部材４５，４１を配置する。この後、支柱３１の締結部材挿入用貫通孔１，２，３，４からコーナー部材４５，４１の締結部材挿入用貫通孔５，６，７，８へリベット６０〜６３を挿入し、また、上枠の梁２５，２６と下枠の梁２１，２２の締結部材挿入用貫通孔９，１０からコーナー部材４５，４１の締結部材挿入用貫通孔１１，１２へリベット６４，６５を挿入して、各リベット６０〜６５の先端側をかしめることによって、上枠と下枠とをコーナー部材４５，４１を介して支柱３１に接合する。このとき、各部材間の電気的導通を得ることができる。
【００４０】
さらに、１本の支柱３１が取り付けられた後は、上枠と下枠を回転して、上枠と下枠の他の隅に、他のコーナー部材４６〜４８，４２〜４４、他の支柱３２〜３４を順番に配置し、同一の作業を繰り返すことで、リベット締結により、上枠と下枠の四隅にコーナー部材４１〜４８を介して支柱３１〜３４を組み付けることができる。
【００４１】
このような組み立てにより、各部材の組み付けを行った後、例えばコーナー部材４１による連結部では、図３に示すように、リベット６０〜６３により接合された支柱３１とコーナー部材４１との接合端部の溶接部７０、リベット６４により接合された梁２１とコーナー部材４１との接合端部の溶接部７１、リベット６５により接合された梁２２とコーナー部材４１との接合端部の溶接部７２をそれぞれ溶接にて接合する。このとき、リベット６０〜６５による締結にて接合がなされるとともに、溶接時の位置合わせ作業は無い状態で溶接作業を行うことができるようになり、作業時間の増加による生産コストを低減することができる。
【００４２】
他のコーナー部材４２〜４８による連結部でも同様に、各支柱と各コーナー部材との接合端部の溶接部、各梁と各コーナー部材との接合端部の溶接部がそれぞれ溶接にて接合される。
【００４３】
この組み立てが完了した後には、筐体の表面や裏面に、塗装、鍍金等の塗装膜を塗布する。この際に、例えば筐体に塗布した塗装液は、コーナー部材４１〜４８の平面５２と平面５３との間に形成された切欠き５９から外に流して、上枠と下枠の隅などに溜まらないようにすることができる。このように、コーナー部材４１〜４８の切欠き５９は、塗装、鍍金等の処理における各処理液の逃げ道として機能させることができる。
【００４４】
＜大容量変換器＞
図４および図５を用いて、上記構成による大容量変換器用筐体に装着された大容量変換器について説明する。図４は、この大容量変換器の回路構成の一例を示す概略回路図である。図５は、この大容量変換器の筐体の全体構成の一例を示す概略構成図である。
【００４５】
図４に示すように、大容量変換器は、コンバータ盤８１と、このコンバータ盤８１に接続される制御盤８０と、この制御盤８０に接続されるインバータ盤８２とを備えて構成される。この大容量変換器において、コンバータ盤８１の入力側は交流外部電源８３に接続され、また、インバータ盤８２の出力側は制御対象であるモータ８４に接続される。
【００４６】
この大容量変換器においては、交流外部電源８３から交流電圧（電流Ｉ）が入力され、この交流電圧はコンバータ盤８１により直流電圧に変換され、さらに、この直流電圧はインバータ盤８２で所定の周波数を持った交流電圧へと変換され、この交流電圧（電流Ｉｍ）がモータ８４に出力され、モータ８４の動作を制御している。この一連の動作を制御するために、コンバータ盤８１とインバータ盤８２との間に制御盤８０が配置されている。
【００４７】
コンバータ盤８１による交流電圧から直流電圧への変換、インバータ盤８２による直流電圧から交流電圧への変換のどちらの変換にも、ＩＧＢＴユニットが採用されている。コンバータ盤８１はＲ相用、Ｓ相用及びＴ相用の各ＩＧＢＴユニット９０〜９２から構成され、また、インバータ盤８２はＵ相用、Ｖ相用及びＷ相用の各ＩＧＢＴユニット９３〜９５から構成されている。
【００４８】
図５に示すように、大容量変換器の筐体は、前述した図１に示した大容量変換器用筐体を５本連結した５連筐体から構成される。図５において、左側の２本の筐体はコンバータ盤８１を構成し、中央の１本の筐体は制御盤８０を構成し、右側の２本の筐体はインバータ盤８２を構成している。２本の筐体から構成されるコンバータ盤８１には、Ｒ相用のＩＧＢＴユニット９０、Ｓ相用のＩＧＢＴユニット９１、Ｔ相用のＩＧＢＴユニット９２が装着されている。２本の筐体から構成されるインバータ盤８２には、Ｕ相用のＩＧＢＴユニット９３、Ｖ相用のＩＧＢＴユニット９４、Ｗ相用のＩＧＢＴユニット９５が装着されている。
【００４９】
以上のように、図５に示したような５連筐体によって、図４に示したような大容量変換器が構成されている。
【００５０】
＜本実施の形態の効果＞
以上説明したように、本実施の形態である大容量変換器用筐体によれば、梁２５〜２８から構成される上枠及び梁２１〜２４から構成される下枠の一対の枠と、上枠及び下枠の隅にそれぞれ配置されて上枠と下枠を互いに連結するための４本の支柱３１〜３４と、上枠及び下枠の隅にそれぞれ配置されて上枠及び下枠の中の１つの枠に接触する接触面と４本の支柱３１〜３４の中の１つの支柱に接触する接触面とを有する複数のコーナー部材４１〜４８と、を備える。
【００５１】
そして、上枠及び下枠の四隅と４本の支柱３１〜３４の軸方向端部とが相対向する対向面及び複数のコーナー部材４１〜４８の接触面にそれぞれ締結部材挿入用貫通孔１〜１２を形成し、締結部材挿入用貫通孔１〜１２内に挿入されたリベット６０〜６５の締結により上枠及び下枠と４本の支柱３１〜３４とが複数のコーナー部材４１〜４８を介して互いに接合される。さらに、複数のコーナー部材４１〜４８と上枠及び下枠と４本の支柱３１〜３４とが互いに溶接により接合される。このように、コーナー部材４１〜４８はリベット６０〜６５と溶接との併用にて接合されてなることにより、以下のような効果を得ることができる。
【００５２】
すなわち、以上の特徴により、締結部材としてリベット６０〜６５を用いており、コーナー部材４１〜４８とリベット６０〜６５による筐体部材の締結を行った後、コーナー部材４１〜４８と複数の梁２１〜２８から構成される上枠及び下枠と複数の支柱３１〜３４とを溶接することで、リベット締結による各部材間の位置決めを容易に得るとともに、溶接時の部材間の位置決めによる作業時間は発生せず、生産コストの増加を抑えることが可能となる。
【００５３】
さらに、コーナー部材４１〜４８をリベット締結と溶接との併用にて接合することにより、重量物を実装する大容量変換器用筐体に充分な強度・耐衝撃を得ることができる。
【００５４】
また、コーナー部材４１〜４８の平面５２と平面５３との間に切欠き５９を形成することにより、この切欠き５９を塗装、鍍金等の処理における各処理液の逃げ道として機能させ、上枠と下枠の隅などに各処理液が溜まらないようにすることができる。
【００５５】
＜本実施の形態の変形例＞
前記実施の形態においては、コーナー部材併用接合の対象を上枠及び下枠の両方の枠とし、上枠及び下枠を四角形形状に配置された複数の梁を枠とし、かつ、コーナー部材を支柱の軸方向端部に接合する例について説明したが、これに限定されるものではなく、コーナー部材併用接合の対象を上枠又は下枠の一方の枠とする例、上枠及び／又は下枠を多角形形状（例えば五角形以上の形状等）に配置された複数の梁を枠とする例、コーナー部材を支柱の軸方向端部に接合する場合に限らない例、上枠及び下枠を多角形形状又は四角形形状に形成された一対の枠とする例などにも同様に適用可能であり、以下に示すような構成が考えられる。以下に示すような構成においても、同様の効果を得ることができる。
【００５６】
（１）大容量変換器用筐体（一例として、（）内に前記実施の形態の対応する構成要素、符号などを付記）は、上枠（梁２５〜２８）及び下枠（梁２１〜２４）に多角形形状に配置された複数の梁を一対の枠とし、前記一対の枠の隅にそれぞれ配置されて前記一対の枠を互いに連結するための複数の支柱（支柱３１〜３４）と、前記一対の枠の隅にそれぞれ配置されて前記一対の枠の中の１つの枠に接触する接触面と前記複数の支柱の中の１つの支柱に接触する接触面とを有する複数のコーナー部材（コーナー部材４１〜４８）と、を備える。そして、前記一対の枠の前記上枠又は前記下枠と前記複数の支柱とが相対向する対向面及び前記複数のコーナー部材の前記接触面にそれぞれ締結部材挿入用貫通孔（締結部材挿入用貫通孔１〜１２）を形成し、前記締結部材挿入用貫通孔内に挿入された締結部材の締結により前記上枠又は前記下枠と前記複数の支柱とが前記複数のコーナー部材を介して互いに接合され（図２）、前記複数のコーナー部材と前記上枠又は前記下枠と前記複数の支柱とが互いに溶接により接合され（図３）、前記コーナー部材は前記締結部材と前記溶接との併用にて接合されてなる。さらに、前記締結部材はリベット（リベット６０〜６５）であることを特徴とする。
【００５７】
（２）大容量変換器用筐体（一例として、（）内に前記実施の形態の対応する構成要素、符号などを付記）は、上枠（梁２５〜２８）及び下枠（梁２１〜２４）に多角形形状に配置された複数の梁を一対の枠とし、前記一対の枠の隅にそれぞれ配置されて前記一対の枠を互いに連結するための複数の支柱（支柱３１〜３４）と、前記一対の枠の隅にそれぞれ配置されて前記一対の枠の中の１つの枠に接触する接触面と前記複数の支柱の中の１つの支柱に接触する接触面とを有する複数のコーナー部材（コーナー部材４１〜４８）と、を備える。そして、前記一対の枠と前記複数の支柱とが相対向する対向面及び前記複数のコーナー部材の前記接触面にそれぞれ締結部材挿入用貫通孔（締結部材挿入用貫通孔１〜１２）を形成し、前記締結部材挿入用貫通孔内に挿入された締結部材の締結により前記一対の枠と前記複数の支柱とが前記複数のコーナー部材を介して互いに接合され（図２）、前記複数のコーナー部材と前記一対の枠と前記複数の支柱とが互いに溶接により接合され（図３）、前記コーナー部材は前記締結部材と前記溶接との併用にて接合されてなる。さらに、前記締結部材はリベット（リベット６０〜６５）であることを特徴とする。
【００５８】
（３）大容量変換器用筐体（一例として、（）内に前記実施の形態の対応する構成要素、符号などを付記）は、多角形形状に形成された一対の枠（梁２５〜２８、梁２１〜２４）と、前記一対の枠の隅にそれぞれ配置されて前記一対の枠を互いに連結するための複数の支柱（支柱３１〜３４）と、前記一対の枠の隅にそれぞれ配置されて前記一対の枠の中の１つの枠に接触する接触面と前記複数の支柱の中の１つの支柱に接触する接触面とを有する複数のコーナー部材（コーナー部材４１〜４８）と、を備える。そして、前記一対の枠と前記複数の支柱とが相対向する対向面及び前記複数のコーナー部材の前記接触面にそれぞれ締結部材挿入用貫通孔（締結部材挿入用貫通孔１〜１２）を形成し、前記締結部材挿入用貫通孔内に挿入された締結部材の締結により前記一対の枠と前記複数の支柱とが前記複数のコーナー部材を介して互いに接合され（図２）、前記複数のコーナー部材と前記一対の枠と前記複数の支柱とが互いに溶接により接合され（図３）、前記コーナー部材は前記締結部材と前記溶接との併用にて接合されてなる。さらに、前記締結部材はリベット（リベット６０〜６５）であることを特徴とする。
【００５９】
（４）大容量変換器用筐体（一例として、（）内に前記実施の形態の対応する構成要素、符号などを付記）は、多角形形状に形成された一対の枠（梁２５〜２８、梁２１〜２４）と、前記一対の枠の隅にそれぞれ配置されて前記一対の枠を互いに連結するための複数の支柱（支柱３１〜３４）と、前記一対の枠の隅にそれぞれ配置されて前記一対の枠の中の１つの枠に接触する接触面と前記複数の支柱の中の１つの支柱に接触する接触面とを有する複数のコーナー部材（コーナー部材４１〜４８）と、を備える。そして、前記一対の枠の隅と前記複数の支柱の軸方向端部とが相対向する対向面及び前記複数のコーナー部材の前記接触面にそれぞれ締結部材挿入用貫通孔（締結部材挿入用貫通孔１〜１２）を形成し、前記締結部材挿入用貫通孔内に挿入された締結部材の締結により前記一対の枠と前記複数の支柱とが前記複数のコーナー部材を介して互いに接合され（図２）、前記複数のコーナー部材と前記一対の枠と前記複数の支柱とが互いに溶接により接合され（図３）、前記コーナー部材は前記締結部材と前記溶接との併用にて接合されてなる。さらに、前記締結部材はリベット（リベット６０〜６５）であることを特徴とする。
【００６０】
（５）大容量変換器用筐体（一例として、（）内に前記実施の形態の対応する構成要素、符号などを付記）は、四角形形状に形成された一対の枠（梁２５〜２８、梁２１〜２４）と、前記一対の枠の四隅にそれぞれ配置されて前記一対の枠を互いに連結するための４本の支柱（支柱３１〜３４）と、前記一対の枠の四隅にそれぞれ配置されて前記一対の枠の中の１つの枠に接触する接触面と前記４本の支柱の中の１つの支柱に接触する接触面とを有する複数のコーナー部材（コーナー部材４１〜４８）と、を備える。そして、前記一対の枠の四隅と前記４本の支柱の軸方向端部とが相対向する対向面及び前記複数のコーナー部材の前記接触面にそれぞれ締結部材挿入用貫通孔（締結部材挿入用貫通孔１〜１２）を形成し、前記締結部材挿入用貫通孔内に挿入された締結部材の締結により前記一対の枠と前記４本との支柱とが前記複数のコーナー部材を介して互いに接合され（図２）、前記複数のコーナー部材と前記一対の枠と前記４本の支柱とが互いに溶接により接合され（図３）、前記コーナー部材は前記締結部材と前記溶接との併用にて接合されてなる。さらに、前記締結部材はリベット（リベット６０〜６５）であることを特徴とする。
【００６１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００６２】
本発明の変換器用筐体は、制御装置などの電子機器を装着するのに好適な大容量変換器用筐体に利用可能である。特に、重量物を実装する大容量変換器用筐体に好適である。
【符号の説明】
【００６３】
１，２，３，４，５，６，７，８，９，１０，１１，１２  締結部材挿入用貫通孔
２１，２２，２３，２４，２５，２６，２７，２８  梁
３１，３２，３３，３４  支柱
４１，４２，４３，４４，４５，４６，４７，４８  コーナー部材
５０，５１，５２，５３，５４，５５，５６，５７，５８  平面
５９  切欠き
６０，６１，６２，６３，６４，６５  リベット
７０，７１，７２  溶接部
８０  制御盤
８１  コンバータ盤
８２  インバータ盤
８３  交流外部電源
８４  モータ
９０  Ｒ相用ＩＧＢＴユニット
９１  Ｓ相用ＩＧＢＴユニット
９２  Ｔ相用ＩＧＢＴユニット
９３  Ｕ相用ＩＧＢＴユニット
９４  Ｖ相用ＩＧＢＴユニット
９５  Ｗ相用ＩＧＢＴユニット
【図１】
0005632867.tif 000002
【図２】
0005632867.tif 000003
【図３】
0005632867.tif 000004
【図４】
0005632867.tif 000005
【図５】
0005632867.tif 000006